(57)【要約】【課題】手指から滑り易く、そのため、こわれ易いガラス製、陶磁器製等の容器に迅速に装着でき、容器の洗滌等の際には容易に取りはずしでき、軽量小型に形成され、安価に製作できる容器着脱保持具を提供する。【解決手段】表面に吸着面を形成した吸着シート１０、１０Ｂ、又は１０Ｃの裏面の一部又は全部に手指の滑り止めストッパー状の突起２０、又は、手指の滑り止めフック状突起２０Ｂ、又は、手指が握れるフック状突起２０Ｃを設けたもの。【選択図】        図１
2008113947.tif 000002
【特許請求の範囲】
【請求項１】
表面に吸着面を形成した吸着シート１０の裏面の一部又は全部に手指の滑り止めストッパー状突起２０を設けた容器着脱保持具。
【請求項２】
表面に吸着面を形成した吸着シート１０Ｂの裏面の一部又は全部に手指の滑り止めフック状突起２０Ｂを設けた容器着脱保持具。
【請求項３】
表面に吸着面を形成した吸着シート１０Ｃの裏面の一部又は全部に手指が握れるフック状突起２０Ｃを設けた容器着脱保持具。
【発明の詳細な説明】
【技術分野】
【０００１】
本発明は、ガラス製、陶磁器製等の滑り易い容器を手指から滑らないように保持できるようにすると共に、洗滌等の際には容器から取りはずしできるようにした容器着脱保持具に関する。
【背景技術】
【０００２】
従来、手指から滑り易いガラス製、陶磁器製等の容器に手指の握れる把手を固着したものはあったが、高価であり、また、保管整理上、把手がスペースを多くとることから、多量に使用される容器では把手は形成されていない場合が多い。しかし、容器に把手が形成されていない場合は、手指から滑り易く、特に、身障者や老人は取扱いにくい場合が多い。このため、特開２００６−２１８２５８号公報に示すような吸盤を用いた自在把手や、特開２００６−２６５５３７号公報に示す再剥離用粘着シートを用いた把手などが考えられたが、前者は製作が高価につき、後者は頻繁に粘着剥離を繰返すと粘着性が弱くなる欠点があった。
そこで、本発明では、頻繁に吸着剥離を繰り返しても吸着性が弱くならない吸着シートにストッパー状の手指の滑り止め突起を固着し、また、吸着シートにフック状の手指の滑り止め突起を固着し、さらに面積の比較的大きい吸着シートに手指が握れるフック状突起を固着して、上記問題点を解決することに成功した。
【特許文献１】特開２００６−２１８２５８号公報
【特許文献２】特開２００６−２６５５３７号公報
【特許文献３】特開２００６−１７６６９３号公報
【発明の開示】
【発明が解決しようとする課題】
【０００３】
本発明は、手指から滑り易く、そのため、こわれ易いガラス製、陶磁器製等の容器に迅速に装着でき、容器の洗滌等の際には容易に取りはずしできる容器着脱保持具を提供するものである。
また、本発明は、軽量小型に形成され、安価に製作できる容器着脱保持具を提供するものである。
【課題を解決するための手段】
【０００４】
本発明容器着脱保持具は、上記課題を達成するため、図示するように、表面に吸着面を形成した吸着シート１０の裏面の一部又は全部に手指の滑り止めストッパー状突起２０を設けたものである。
また、本発明容器着脱保持具は、上記課題を達成するため、図示するように、表面に吸着面を形成した吸着シート１０Ｂの裏面の一部又は全部に手指の滑り止めフック状突起２０Ｂを設けたものである。
さらに、本発明容器着脱保持具は、上記課題を達成するため、図示するように、表面に吸着面を形成した吸着シート１０Ｃの裏面の一部又は全部に手指が握れるフック状突起２０Ｃを設けたものである。
本発明において、容器には、物品、液体等の保存等に使用する手指から滑り易いガラス製、陶磁器製等の一部又は全部が平滑平面又は平滑曲面を形成した容器のほか、花瓶、置物等も含まれる。
吸着シートは、粘着剤を使用せず、ガラス、金属、プラスチック等の一部又は全部が平滑な平面又は曲面を設けている容器との間に介在する空気を除去して真空吸着し、また、容器との間に空気を入れて剥がすことができるフィルムシート状の微細吸盤組織からなるもので、特開２００６−１７６６９３号公報その他で公知のものである。
手指の滑り止めストッパー状突起は、容器を手指で握ったとき手指から滑り落ちないように滑り止めストッパー的作用をする突起状のもので、厚手のフエルト状物、硬質発泡体成型物、ゴム成型物、その他の軽量材料からなる。
手指の滑り止めフック状突起は、指先の一部が係合できるようしたフック状の突起で、突起材質は、フエルト体、中空状合成樹脂体、硬質発泡体、ゴム成型物等の軽量材料からなる。
手指が握れるフック状突起は、中空状合成樹脂体、硬質発泡体、ゴム成型物等の軽量材料からなる。
【発明の効果】
【０００５】
本発明容器着脱保持具は、容器の平滑な表面に迅速に吸着し、また、容易に剥離でき、小型軽量で済み、特に、身障者や老人等に利便をはかることができる。
また、本発明品は吸着面の経年変化が少なく長期間の使用に耐えることができる。
さらに、本発明品は、製作容易で安価につく利点がある。
【発明を実施するための最良の形態】
【０００６】
本発明容器着脱保持具は、吸着シートとその裏面に固着した手指滑り止めのストッパー状突起を備えている。
また、本発明容器着脱保持具は、吸着シートとその裏面に固着した手指滑り止めのフック状突起を備えている。
さらに、本発明容器着脱保持具は、吸着シートとその裏面に固着した手指が握れるフック状突起を備えている。
【実施例１】
【０００７】
本発明容器着脱保持具の実施例１が図１乃至図３に示されている。本発明実施例１の容器着脱保持具は、吸着シート１０と手指滑り止めストッパー状突起２０とを備えている。
吸着シート１０は、剥離シート１１、微細組織状吸盤シート１２、基材シート１３からなり、剥離シート１１は、ポリエチレン、ポリプロピレン等の剥離性の高いフィルムシート、吸盤シート１２は、アクリル系樹脂等を使用した多数の微細な多孔組織構造の吸盤を形成した公知のフィルムシート、基材シート１３は、ポリエステル等の非塩素系フィルムシートからなっている。
ストッパー状突起２０は、厚板短片状のフエルト製のもので、突起２０は、平滑曲面を配慮して長手方向は短く成形されて吸着シート１０の基材シート１３に固着される。
従って、図３に示すように、吸着シート１０の剥離シート１１を剥いで吸盤面１２を容器３０の平滑面に吸着させれば、手指で容器３０を握った場合ストッパー状突起２０により手指の滑り止めができる。
【実施例２】
【０００８】
本発明容器着脱保持具の実施例２が図４乃至図６に示されている。本発明実施例２の容器着脱保持具は、吸着シート１０Ｂと手指滑り止めフック状突起２０Ｂとを備えている。
吸着シート１０Ｂは、図４及び図５に示すように、実施例１の吸着シート１０と同じ構成であるので、詳細説明は省略する。
フック状突起２０Ｂは、軽量の硬質発泡体成形品等のフック状突起２１Ｂと基盤２２Ｂにより形成され、基盤２２Ｂは吸着シート１０Ｂの基材シート１３Ｂに固着される。
従って、図６に示すように、吸着シート１０Ｂの剥離シート１１Ｂを剥いで吸盤面１２Ｂを容器３０Ｂの平滑面に吸着させれば、指先をフック状突起２１Ｂに係合して使用でき手指の滑り止めができる。
【実施例３】
【０００９】
本発明容器着脱保持具の実施例３が図７乃至図９に示されている。本発明実施例３の容器着脱保持具は、吸着シート１０Ｃと手指が握れるフック状突起２０Ｃとを備えている。
吸着シート１０Ｃは、図７及び図９に示すように、実施例１の吸着シート１０と同じ構成であるが、面積は大きく、容器の胴回りの１／２以上の長さ、容器の高さの１／４〜１／２以上の巾が望ましい。
フック状突起２０Ｃは、軽量の硬質発泡体成型品、ゴム成型物等のフック状突起２１Ｃと基盤２２Ｃにより形成され、基盤２２Ｃは吸着シート１０Ｃの基材シート１３Ｃに固着される。
従って、図９に示すように、吸着シート１０Ｃの剥離シート１１Ｃを剥いで吸盤面１２Ｃを容器３０Ｃの平滑面に吸着させれば、フック状突起２１Ｃを手指で握って使用できる。
【産業上の利用可能性】
【００１０】
本発明の容器着脱保持具は、構造簡単、小型軽量で安価に量産できる。
【図面の簡単な説明】
【００１１】
【図１】本発明実施例１を示す斜視図である。
【図２】本発明実施例１を示す別の斜視図である。
【図３】本発明実施例１の使用状態説明図である。
【図４】本発明実施例２を示す斜視図である。
【図５】本発明実施例２を示す別の斜視図である。
【図６】本発明実施例２の使用状態説明図である。
【図７】本発明実施例３を示す斜視図である。
【図８】本発明実施例３を示す別の斜視図である。
【図９】本発明実施例３の使用状態説明図である。
【符号の説明】
【００１２】
１０、１０Ｂ、１０Ｃ    吸着シート
１１、１１Ｂ、１１Ｃ    剥離シート
１２、１２Ｂ、１２Ｃ    吸盤シート
１３、１３Ｂ、１３Ｃ    基材シート
２０            手指滑り止めストッパー状突起
２０Ｂ          手指滑り止めフック状突起
２０Ｃ          手指が握れるフック状突起
３０、３０Ｂ、３０Ｃ    容器
【図１】
2008113947.tif 000003
【図２】
2008113947.tif 000004
【図３】
2008113947.tif 000005
【図４】
2008113947.tif 000006
【図５】
2008113947.tif 000007
【図６】
2008113947.tif 000008
【図７】
2008113947.tif 000009
【図８】
2008113947.tif 000010
【図９】
2008113947.tif 000011